(57)【要約】【課題】塗膜転写具の転写ヘッドを保護するキャップが塗膜転写具に対して横方向等の外力に対しても容易に外れず、また、塗膜転写具本体や塗膜転写具と結合した筆記具外筒の表面に品名、注意書きされた印刷文字等が消え難く、更に堅い床に落としても塗膜転写具本体や筆記具外筒が破損し難い塗膜転写具や筆記具一体型塗膜転写具を提供する【解決手段】基材テープに塗膜を備えた転写テープを繰り出す繰出部と、前記塗膜を被転写体に押圧して転写する転写ヘッドと、転写後の基材テープを巻き取る巻取部と、転写ヘッドを保護するキャップとを有する塗膜転写具において、前記キャップが、転写ヘッドと塗膜転写具本体または事務用品外筒とを覆うことを特徴とする塗膜転写具。【選択図】  図１
2005297255.tif 000002
【特許請求の範囲】
【請求項１】
基材テープに塗膜を備えた転写テープを繰り出す繰出部と、前記塗膜を被転写体に押圧して転写する転写ヘッドと、転写後の基材テープを巻き取る巻取部と、転写ヘッドを保護するキャップとを有する塗膜転写具において、前記キャップが、転写ヘッドと塗膜転写具本体とを覆うことを特徴とする塗膜転写具。
【請求項２】
前記塗膜転写具と事務用品とが結合された請求項１記載の塗膜転写具。
【請求項３】
前記キャップが転写ヘッドと事務用品外筒とを覆う請求項２記載の塗膜転写具。
【発明の詳細な説明】
【技術分野】
【０００１】
本発明は、文字修正用塗膜、接着用粘着膜、装飾用塗膜等を被転写体に押圧転写する塗膜転写具または前記塗膜転写具と事務用品とを結合した塗膜転写具に関する。
【背景技術】
【０００２】
従来、塗膜転写具の塗膜転写具本体から突出した転写ヘッドには、その転写ヘッドに巻き掛けられている転写テープへのゴミ付着や汚れ防止および転写テープの塗膜が不用意に目的外のものに付着することを防止するためのキャップが設けられている。例えば、特許文献１には、転写ヘッドの先端を保護するために塗膜転写具本体の筒体先端に摺動自在な摺動部材（キャップ）が設けられていて、キャップを最も後退させると転写ヘッドが露出し、キャップを最も前進させると転写ヘッドを収納することが記載されている。
【０００３】
また事務用品の一つであるボールペンのような筆記具と塗膜転写具とを結合した筆記具一体型塗膜転写具も、いろいろ考えられていて、特許文献２には、塗膜転写具である転着器と筆記具とを別体の連結部材を介して相互に着脱可能に連結された修正ペン一体型転着器が示されている。この修正ペン一体型転着器の転着器には、二分割されたケース内に繰り出しローラと巻取ローラを回転自在に支持し、繰り出しローラに巻回された粘着剤あるいは修正剤の転着剤が積層された転写テープを被転着面に押し付けて転着剤を転着する転着テープヘッドとその転着テープヘッドを保護するキャップとを備えている。このキャップは、単に前後方向に摺動するのではなく、キャップがある所定角度シフトしてから後退して転着テープヘッドが露出するものであるから、ポケットに転着器を収納していても簡単にキャップが後退して転着テープヘッドがポケット内で露出しないようにしたものである。
【０００４】
【特許文献１】実開平７−２８１４６
【特許文献２】特開平１０−１８１２８８
【発明の開示】
【発明が解決しようとする課題】
【０００５】
しかしながら、塗膜転写具の転写ヘッドに巻き掛けられている転写テープへのゴミ付着や汚れ防止および転写テープの塗膜が不用意に目的外のものに付着することを防止するため、転写ヘッドをキャップで保護しているが、この従来のキャップでは、長さが短く転写ヘッド先端や転写ヘッド部分のみ保護しているので、キャップに対して横方向からの外力が掛かるとキャップ自身が外れ易いという問題が生じる。
【０００６】
また、服のポケット等に入れて作業するとあらゆる方向から力が作用してキャップが開いてしまう問題も生じる。
【０００７】
また、塗膜転写具本体や塗膜転写具と結合した筆記具外筒の表面には、品名、注意書き等が印刷されることが多々ある。この印刷済みの塗膜転写具や筆記具一体型塗膜転写具を搬送すると、搬送時の振動により印刷面の印刷文字と包装材とが互いに摺り合って文字が淡くなる場合がある。また、引き出しやペン立て等に入れておくと鋭利な刃物や金属製クリップの端部と印刷面が強く接触したりして、最悪、印刷文字が剥離して消えてしまうという問題も生じる。
【０００８】
更に近年、コストダウンにより塗膜転写具本体や筆記具外筒の肉厚が次第に薄くなってきており、机等に放置した塗膜転写具や筆記具一体型塗膜転写具を誤って机からコンクリート等の堅い床に落とすと塗膜転写具本体や筆記具外筒が破損するという問題も生じる。
本発明の目的は、塗膜転写具の転写ヘッドを保護するキャップが塗膜転写具に対して横方向等の外力に対しても容易に外れず、塗膜転写具の使用の前後にはキャップの脱着が容易にできること、また、塗膜転写具本体や塗膜転写具と結合した筆記具外筒の表面に印刷された品名、注意書きの文字等が消え難く、更に堅い床に落としても塗膜転写具本体や筆記具外筒が破損し難い塗膜転写具や筆記具一体型塗膜転写具を提供することである。
【課題を解決するための手段】
【０００９】
上記目的を達成するために、本発明は、基材テープに塗膜を備えた転写テープを繰り出す繰出部と、前記塗膜を被転写体に押圧して転写する転写ヘッドと、転写後の基材テープを巻き取る巻取部と、転写ヘッドを保護するキャップとを有する塗膜転写具において、前記キャップが、転写ヘッドと塗膜転写具本体とを覆うことを特徴とする塗膜転写具、および前記塗膜転写具と事務用品とが結合された塗膜転写具において、前記キャップが転写ヘッドと事務用品外筒とを覆うことによってこの課題を解決した。
【発明の効果】
【００１０】
本発明の塗膜転写具のキャップは、転写ヘッドから塗膜転写具本体または筆記具外筒までを覆う全長の長いキャップが設けられているから、外部からのゴミの進入や物が直接塗膜転写具に当たることを防止すると共に前記キャップに対して横方向からの外力が働いても、前記キャップの全長が長いから深く塗膜転写具本体等を覆っているので外れにくい。また塗膜転写具を使用する時には、キャップを塗膜転写具の長手方向に引き抜いたり数回回転させれば容易に取り外すことができ、また、塗膜転写具の長手方向に押し込んだり数回回転させるとキャップを簡単に取り付けることができるので、キャップの着脱はスムーズに行える。
【００１１】
また、塗膜転写具本体や塗膜転写具と結合した筆記具外筒の表面に品名、注意書き等の文字が印刷されていても、塗膜転写具を使用しない時はキャップをして、この印刷表面をキャップで覆うことができるので印刷文字面に包装材、鋭利な刃物や金属製クリップ等の堅い物が接触することがなくなるから文字等が淡くなったり消えたりすることがない。
【００１２】
更に机の上からコンクリートのような堅い床に落としても塗膜転写具本体等をキャップで覆っているので塗膜転写具本体等は破損し難い。
【発明を実施するための最良の形態】
【００１３】
以下に、本発明の実施形態を図面に基づいて説明する。第１図は本発明の筆記具一体型塗膜転写具である。第１図に示すように、本実施形態の筆記具一体型塗膜転写具１は、全長の長いほぼ円筒状に形成され、転写テープ９である修正テープを装填した塗膜転写具２と、この塗膜転写具２の一端側に筆記具の装着部材５である雌ねじ部と螺合する塗膜転写具の装着部材４の雄ねじ部が設けられている。
【００１４】
第２図は本発明の塗膜転写具の分解立体図を示す。第２図に示すように、前記塗膜転写具２は、２分割した本体ケースと本体カバー、２つの支軸を備えた本体ケース、本体ケース端部に設けられて先端に押圧転写部１１を備えた転写ヘッド１０、各支軸に回転可能に係合された繰り出しロール６と巻取ロール７、この繰り出しロール６と巻取ロール７を連動回転させる無端状のゴムベルト８、および基材テープの片面に塗膜を備えた転写テープ９からなり、本体ケースは本体カバーで覆われている。繰り出しロール６に巻回された転写テープ９は引き出され、転写ヘッド１０の押圧転写部１１で転写テープ９の塗膜を被転写体に押圧して転写し、転写後の基材テープを巻取ロール７で巻き取るようになっている。この塗膜転写具２の一端側に筆記具の装着部材５である雌ねじ部と螺合する塗膜転写具の装着部材４の雄ねじ部が設けられている。この装着部材４の雄ねじ部により、塗膜転写具を通常のシャープペン、水性または油性インクのボールペン、マーカーペンおよびこれら２種以上を寄せ集めたペン等の筆記具の雌ねじ部に容易に螺合できる。
【００１５】
筆記具側の外筒には、滑り止め部材を設けてもよい。この滑り止め部材は、筆記具を把持する時に手の滑り止めと把持感の向上を図るものであり、ゴム、塩化ビニル、熱可塑性エラストマー等で作製されている。滑り止め部材の表面は、小さな凹凸や格子状の溝等を形成しより滑りにくくしてもよい。もちろん塗膜転写具２には押圧転写部１１の転写テープ９を保護するキャップ２０と筆記具３の筆記部先端を保護するキャップ２１を設けてもよい。また、キャップ２０には消しゴムを備えてもよいし、他の事務用品、例えば印鑑等を備えてもよい。押圧転写部１１の形状は、転写テープ９の厚さ方向から見て三角形または小さな円弧状であってもよい。
【００１６】
第１図では、筆記具側のキャップ２１にクリップを設けているが、逆に塗膜転写具側のキャップ２０にクリップを設けてポケットに装着できるようにしてもよく、このキャップ２０を筆記具３側とも兼用すれば、筆記部先端を保護するだけのキャップ２１は省略できる。もちろん、キャップ２０を筆記具３と係合して、反筆記部側の塗膜転写具を使用し、逆に筆記具を使用する時、前記キャップ２０を塗膜転写具と係合できるようにしてもよい。
【００１７】
本発明の塗膜転写具２は筆記具３と一体とするため、できる限り小型化する必要があるので、繰り出しロール６と巻取ロール７とを連動回転させる連動機構には、ギヤ式連動機構よりもコストが安価であり、両ロールの外径よりも小径で連動できる無端状のゴムベルト８、例えばＯリングを使用している。
【００１８】
塗膜転写具２やキャップ２０は、そのケース内に収納される転写テープ９や塗膜転写具本体に印刷された文字が視認できるような透明、あるいは、半透明な樹脂で形成されるのが望ましいが、不透明な樹脂や一部紙等の材質で形成してもよく、その材質は限定されるものではない。もちろん、筆記具も同様である。キャップ２０と塗膜転写具本体または筆記具外胴との間の係合は、凹凸形状、フック形状、ネジ形状などやそれらの組み合わせであってもよく、両者を係合できる構造であればこれらに限定されるものではない。
【００１９】
なお、塗膜転写具２と筆記具３との係合は、筆記具の凹み部の開口面取り端から内側にかけてネジ溝を内壁側に形成し、このネジ溝を塗膜転写具の一端に形成したネジ山と螺合させたが、塗膜転写具２と筆記具３との着脱構成は、溝部と凸部との係合や穴や溝と掛止するフック形状であったり、磁石による係合であってもよく、またその組み合わせでもよい。このように塗膜転写具２の端部と筆記具３の端部とが簡単に着脱できる構成であればよい。
【００２０】
そうすれば、塗膜幅の異なる塗膜転写具や文字修正用塗膜、接着用粘着膜、装飾用塗膜等を備えた個別の塗膜転写具を必要に応じて差し替え可能であるので、例えば、文字の大きさが異なる時、塗膜幅の異なる塗膜転写具をその場で差し替えて使用でき、また、書面作成後、封筒に入れ封するときは文字修正用塗膜から接着用粘着膜の塗膜転写具に差し替え可能であるから、都度、必要とする状況にも即対応可能である。
【００２１】
また、筆記具外筒を延長して、その外筒内に塗膜転写具を収納してもよい。
そうすれば、塗膜転写具をこの外筒で保護できるため、塗膜転写具本体は、繰出部と巻取部および転写ヘッドを保持する保持部材だけで構成でき材料の節約、コストダウンが可能である。
【図面の簡単な説明】
【００２２】
【図１】本発明の筆記具一体型塗膜転写具を示す。
【図２】本発明の塗膜転写具の分解立体図を示す。
【符号の説明】
【００２３】
１  筆記具一体型塗膜転写具
２  塗膜転写具
３  筆記具
４  塗膜転写具の装着部材
５  筆記具の装着部材
６  繰り出しロール
７  巻取ロール
８  ゴムベルト
９  転写テープ
１０  転写ヘッド
１１  押圧転写部
２０  塗膜転写具のキャップ
２１  筆記具のキャップ
【図１】
2005297255.tif 000003
【図２】
2005297255.tif 000004